(57)【要約】【課題】ＭＥＣサーバを経由する低遅延な通信を適切に維持する。【解決手段】基地局装置は、自基地局装置に付属するサーバを経由して互いに通信する複数の端末で形成されるグループを特定する特定部と、グループに属する各端末とサーバとの間の通信の遅延時間を取得する第１の取得部と、グループに属する各端末と自基地局装置との間の第１の無線品質と、各端末と他の基地局装置との間の第２の無線品質とを取得する第２の取得部と、グループに属する全ての端末に関して、遅延時間が所定時間未満であり、且つ第１の無線品質と第２の無線品質との差分値が第１の閾値未満である場合に、全ての端末によるハンドオーバを一括で制御する制御部とを有する。【選択図】図２
2019102871.tif 000002
【特許請求の範囲】
【請求項１】
自基地局装置に接続中の複数の端末であって、自基地局装置に付属するサーバを経由して互いに通信する複数の端末で形成されるグループを特定する特定部と、
前記グループに属する各端末と前記サーバとの間の通信の遅延時間を取得する第１の取得部と、
前記グループに属する各端末と自基地局装置との間の第１の無線品質と、各前記端末と他の基地局装置との間の第２の無線品質とを取得する第２の取得部と、
前記グループに属する全ての端末に関して、前記遅延時間が所定時間未満であり、且つ前記第１の無線品質と前記第２の無線品質との差分値が第１の閾値未満である場合、前記全ての端末による前記他の基地局装置へのハンドオーバを一括で制御する制御部と
を有することを特徴とする基地局装置。
【請求項２】
前記制御部は、前記全ての端末による前記他の基地局装置へのハンドオーバを一括で制御するモードにおいて、前記全ての端末に関して、前記差分値が第２の閾値を超過するか否かを判定し、前記差分値が前記第２の閾値を超過する場合、前記全ての端末の接続先を前記他の基地局装置へ一括で切り替えるハンドオーバを実行し、前記全ての端末のうちの少なくとも１つの端末に関して、前記差分値が前記第２の閾値を超過しない場合、前記全ての端末の接続先を自基地局装置に維持することを特徴とする請求項１に記載の基地局装置。
【請求項３】
前記制御部は、前記グループに属する全ての端末のうちの少なくとも１つの端末に関して、前記遅延時間が前記所定時間以上である場合、又は、前記差分値が前記第１の閾値以上である場合、当該少なくとも１つの端末の接続先を前記他の基地局装置へ個別に切り替えるハンドオーバを実行することを特徴とする請求項１又は２に記載の基地局装置。
【請求項４】
自基地局装置に接続中の複数の端末であって、自基地局装置に付属するサーバを経由して互いに通信する複数の端末で形成されるグループを特定し、
前記グループに属する各端末と前記サーバとの間の通信の遅延時間を取得し、
前記グループに属する各端末と自基地局装置との間の第１の無線品質と、各前記端末と他の基地局装置との間の第２の無線品質とを取得し、
前記グループに属する全ての端末に関して、前記遅延時間が所定時間未満であり、且つ前記第１の無線品質と前記第２の無線品質との差分値が第１の閾値未満である場合、前記全ての端末による前記他の基地局装置へのハンドオーバを一括で制御する
処理を含むことを特徴とするハンドオーバ制御方法。
【請求項５】
基地局装置と、前記基地局装置に付属するサーバとを有する無線通信システムであって、
前記サーバは、
前記基地局装置に接続中の複数の端末であって、前記サーバを経由して互いに通信する複数の端末をグループ化して、前記複数の端末を含むグループを生成する生成部と、
前記グループの情報を前記基地局装置へ送信する送信部と、
前記基地局装置は、
前記サーバから送信される前記情報を用いて前記グループを特定する特定部と、
前記グループに属する各端末と前記サーバとの間の通信の遅延時間を取得する第１の取得部と、
前記グループに属する各端末と自基地局装置との間の第１の無線品質と、各前記端末と他の基地局装置との間の第２の無線品質とを取得する第２の取得部と、
前記グループに属する全ての端末に関して、前記遅延時間が所定時間未満であり、且つ前記第１の無線品質と前記第２の無線品質との差分値が第１の閾値未満である場合、前記全ての端末による前記他の基地局装置へのハンドオーバを一括で制御する制御部とを有することを特徴とする無線通信システム。
【発明の詳細な説明】
【技術分野】
【０００１】
本発明は、基地局装置、ハンドオーバ制御方法及び無線通信システムに関する。
【背景技術】
【０００２】
次世代の通信規格である５Ｇ（第５世代移動体通信）の通信規格では、４Ｇ（第４世代移動体通信）の技術に加えて、さらなる高データレート化、大容量化、低遅延化を実現する技術が検討されている。そのため、５Ｇでは、ｅＭＢＢ（Enhanced  Mobile  BroadBand）、Ｍａｓｓｉｖｅ  ＭＴＣ（Machine  Type  Communications)、及びＵＲＬＬＣ（Ultra−Reliable  and  Low  Latency  Communication）に分類される多くのユースケースのサポートが想定されている。
【０００３】
その中でも、ＵＲＬＬＣは実現が最も困難なユースケースである。特に、低遅延に関して、上り回線及び下り回線におけるユーザプレーンの無線区間での遅延を０．５ミリ秒とすることなどが目標とされている。低遅延を実現する１つの方法として、コアネットワークのエッジにおいて端末と無線通信する基地局装置にサーバを付属させ、基地局装置に付属するサーバを経由して複数の端末間の通信を行う、ＭＥＣ（Mobile  Edge  Computing）と呼ばれる方法がある。基地局装置に付属するサーバは、ＭＥＣサーバとも呼ばれる。ＭＥＣでは、コアネットワーク側の上位サーバと比較して、より端末に近いＭＥＣサーバを経由して複数の端末間の通信が行われるので、低遅延な通信を実現することができる。
【先行技術文献】
【特許文献】
【０００４】
【特許文献１】特開２０１７−１７６５５号公報
【発明の概要】
【発明が解決しようとする課題】
【０００５】
しかしながら、上述の技術では、ＭＥＣサーバを経由する低遅延な通信を適切に維持することまでは考慮されていない。
【０００６】
例えば、上述の技術では、ある基地局装置に付属するＭＥＣサーバを経由して互いに通信する複数の端末のうち少なくとも１つの端末が個別に他の基地局装置にハンドオーバすると、端末間の通信が、コアネットワーク側の上位サーバを経由する通信に切り替わる。コアネットワーク側の上位サーバは、ＭＥＣサーバと比較して、より端末から離れた位置に存在する。結果として、ＭＥＣサーバを経由する低遅延な通信を維持することが困難となる。
【０００７】
開示の技術は、ＭＥＣサーバを経由する低遅延な通信を適切に維持することができる基地局装置、ハンドオーバ制御方法及び無線通信システムを提供することを目的とする。
【課題を解決するための手段】
【０００８】
本願の開示する基地局装置は、一つの態様において、自基地局装置に接続中の複数の端末であって、自基地局装置に付属するサーバを経由して互いに通信する複数の端末で形成されるグループを特定する特定部と、前記グループに属する各端末と前記サーバとの間の通信の遅延時間を取得する第１の取得部と、前記グループに属する各端末と自基地局装置との間の第１の無線品質と、各前記端末と他の基地局装置との間の第２の無線品質とを取得する第２の取得部と、前記グループに属する全ての端末に関して、前記遅延時間が所定時間未満であり、且つ前記第１の無線品質と前記第２の無線品質との差分値が第１の閾値未満である場合に、前記全ての端末による前記他の基地局装置へのハンドオーバを一括で制御する制御部とを有する。
【発明の効果】
【０００９】
本願の開示する基地局装置の一つの態様によれば、ＭＥＣサーバを経由する低遅延な通信を適切に維持することができるという効果を奏する。
【図面の簡単な説明】
【００１０】
【図１】図１は、本実施例に係る無線通信システムの一例を示す図である。
【図２】図２は、本実施例に係る基地局装置の構成を示すブロック図である。
【図３】図３は、ＨＯモードの判定の具体例（その１）を説明する図である。
【図４】図４は、ＨＯモードの判定の具体例（その２）を説明する図である。
【図５】図５は、ＨＯモードの判定の具体例（その３）を説明する図である。
【図６】図６は、本実施例に係るＭＥＣサーバの構成を示すブロック図である。
【図７】図７は、本実施例に係るＵＥの構成を示すブロック図である。
【図８】図８は、本実施例に係る無線通信システムの動作の一例を示すシーケンス図である。
【図９】図９は、ＧＲ情報生成処理の一例を示すフローチャートである。
【図１０】図１０は、ＧＲ管理テーブルの登録状態の一例を示す図である。
【図１１】図１１は、遅延時間測定処理の一例を示すフローチャートである。
【図１２】図１２は、ＧＲ管理テーブルの登録状態の他の一例を示す図である。
【図１３】図１３は、ＧＲ管理テーブルの登録状態のさらに他の一例を示す図である。
【図１４】図１４は、ＨＯモード判定処理の一例を示すフローチャートである。
【発明を実施するための形態】
【００１１】
以下に、本願の開示する基地局装置、ハンドオーバ制御方法及び無線通信システムの実施例を図面に基づいて詳細に説明する。なお、この実施例により開示技術が限定されるものではない。また、実施例において同等の機能を有する構成には同一の符号を付し、重複する説明は省略される。
【実施例】
【００１２】
図１は、本実施例に係る無線通信システムの一例を示す図である。図１に示す無線通信システムにおいて、基地局装置１００ａ，１００ｂにＭＥＣサーバ２００ａ，２００ｂがそれぞれ付属している。また、基地局装置１００ａ，１００ｂ及びＭＥＣサーバ２００ａ，２００ｂは、コアネットワークＮを介して上位サーバ１０に接続されている。また、基地局装置１００ａのセル内に存在する端末（User  Equipment：ＵＥ）３００ａ，３００ｂ，３００ｃは、基地局装置１００ａに無線により接続しており、基地局装置１００ａに付属するＭＥＣサーバ２００ａを経由して互いに通信する。なお、以下では、基地局装置１００ａ，１００ｂが特に区別されない場合には基地局装置１００ａ，１００ｂをまとめて「基地局装置１００」と表記する。また、同様に、ＭＥＣサーバ２００ａ，２００ｂを「ＭＥＣサーバ２００」と表記し、ＵＥ３００ａ，３００ｂ，３００ｃを「ＵＥ３００」と表記する。
【００１３】
基地局装置１００ａは、基地局装置１００ａに付属するＭＥＣサーバ２００ａを経由して互いに通信するＵＥ３００ａ，３００ｂ，３００ｃで形成されるグループ（以下「ＧＲ」と表記する）を特定する。具体的には、基地局装置１００ａは、ＭＥＣサーバ２００ａから通知されるＧＲの情報を用いてＧＲを特定する。
【００１４】
そして、基地局装置１００ａは、ＧＲに属する各ＵＥ３００とＭＥＣサーバ２００ａとの間の通信の遅延時間を取得する。具体的には、基地局装置１００ａは、ＧＲに属する各ＵＥ３００に遅延時間測定要求を送信し、遅延時間測定要求に応じて各ＵＥ３００において測定された遅延時間を取得する。
【００１５】
そして、基地局装置１００ａは、ＧＲに属する各ＵＥ３００とハンドオーバ（HandOver：ＨＯ）元となる基地局装置１００ａとの間の無線品質と、各ＵＥ３００とＨＯ先となる他の基地局装置である基地局装置１００ｂとの間の無線品質とを取得する。以下では、ＧＲに属する各ＵＥ３００とＨＯ元となる基地局装置１００ａとの間の無線品質を「ＨＯ元品質」と表記し、各ＵＥ３００とＨＯ先となる他の基地局装置である基地局装置１００ｂとの間の無線品質を「ＨＯ先品質」と表記する。具体的には、基地局装置１００ａは、ＧＲに属する各ＵＥ３００から通知されるＨＯ元品質及びＨＯ先品質を取得する。
【００１６】
そして、基地局装置１００ａは、ＧＲに属する全てのＵＥ３００に関して、遅延時間が所定時間未満であり、且つＨＯ元品質とＨＯ先品質との差分値が第１の閾値未満である場合に、全てのＵＥ３００による基地局装置１００ｂへのＨＯを一括で制御する。すなわち、基地局装置１００ａは、ＧＲに属する全てのＵＥ３００に関して、遅延時間が所定時間未満であり、且つＨＯ元品質とＨＯ先品質との差分値が第１の閾値未満である場合に、当該差分値が第２の閾値を超過するか否かを判定する。そして、基地局装置１００ａは、当該差分値が第２の閾値を超過する場合に、全てのＵＥ３００の接続先を基地局装置１００ｂへ一括で切り替えるＨＯを実行する。また、基地局装置１００ａは、当該差分値が第２の閾値を超過しない場合に、全てのＵＥ３００の接続先を基地局装置１００ａに維持する。
【００１７】
これにより、共通のＭＥＣサーバ２００ａを経由して互いに通信するＵＥ３００ａ，３００ｂ，３００ｃによるＨＯを一括で制御するので、各ＵＥ３００による個別のＨＯをできるだけ抑制することができる。このため、ＵＥ３００ａ，３００ｂ，３００ｃ間の通信が、ＭＥＣサーバ２００ａを経由する通信からコアネットワークＮ側の上位サーバ１０を経由する通信に切り替わる事態ができるだけ回避される。結果として、ＭＥＣサーバ２００ａを経由する低遅延な通信を維持することができる。
【００１８】
ＭＥＣサーバ２００ａは、所定のアプリケーション（以下「アプリ」と表記する）を管理し、基地局装置１００ａを介した通信により、基地局装置１００ａに接続中のＵＥ３００ａ，３００ｂ，３００ｃに所定のアプリによるサービスを提供する。所定のアプリには、動画配信、映像ストリーム、ＳＩＰ（Session  Initiation  Protocol）による音声通信などネットワークを介してサービスを提供する各種アプリが含まれる。また、ＭＥＣサーバ２００ａは、所定のアプリを利用して互いに通信するＵＥ３００ａ，３００ｂ，３００ｃをグループ化してこれらＵＥ３００ａ，３００ｂ，３００ｃを含むＧＲを生成する。そして、ＭＥＣサーバ２００ａは、生成したＧＲの情報を基地局装置１００ａへ通知する。
【００１９】
ＵＥ３００ａ，３００ｂ，３００ｃは、基地局装置１００ａに無線により接続しており、基地局装置１００ａに付属するＭＥＣサーバ２００ａを経由して互いに通信する。また、ＵＥ３００ａ，３００ｂ，３００ｃは、基地局装置１００ａによる制御に従って、基地局装置１００ｂへのＨＯを実行する。
【００２０】
次に、基地局装置１００ａの構成について説明する。図２は、本実施例に係る基地局装置１００ａの構成を示すブロック図である。なお、基地局装置１００ｂの構成は、基地局装置１００ａの構成と同様なので、ここではその説明を省略する。図２に示す基地局装置１００ａは、有線インタフェース（以下「有線Ｉ／Ｆ」と略記する）１１０、プロセッサ１２０、無線送受信部１３０及びメモリ１４０を有する。
【００２１】
有線Ｉ／Ｆ１１０は、ＭＥＣサーバ２００及びコアネットワークＮに接続インタフェースであり、ＵＥ３００から受信したデータをＭＥＣサーバ２００へ送信したり、コアネットワークＮ側の上位サーバ１０へ送信したりする。また、有線Ｉ／Ｆ１１０は、ＭＥＣサーバ２００ａから通知されるＧＲの情報を受信する。
【００２２】
プロセッサ１２０は、例えばＣＰＵ（Central  Processing  Unit）、ＦＰＧＡ（Field  Programmable  Gate  Array）又はＤＳＰ（Digital  Signal  Processor）などを備え、基地局装置１００ａ全体を制御する。具体的には、プロセッサ１２０は、ＧＲ管理部１１１、ベースバンド信号処理部（以下「ＢＢ信号処理部」と略記する）１１２及びＨＯ処理部１１３を有する。
【００２３】
ＧＲ管理部１１１は、ＭＥＣサーバ２００ａを経由して互いに通信するＵＥ３００ａ，３００ｂ，３００ｃで形成されるＧＲを特定する。そして、ＧＲ管理部１１１は、ＧＲに属する各ＵＥ３００とＭＥＣサーバ２００ａとの間の通信の遅延時間を取得する。そして、ＧＲ管理部１１１は、ＧＲに属する各ＵＥ３００と基地局装置１００ａとの間のＨＯ元品質と、各ＵＥ３００と基地局装置１００ｂとの間のＨＯ先品質とを取得する。そして、ＧＲに属する全てのＵＥ３００に関して、遅延時間が所定時間未満であり、且つＨＯ元品質とＨＯ先品質との差分値が第１の閾値未満である場合に、全てのＵＥ３００による基地局装置１００ｂへのＨＯを一括で制御する。
【００２４】
例えば、ＧＲ管理部１１１は、図２に示すように、ＧＲ特定部１１４、遅延時間取得部１１５、無線品質取得部１１６及びＨＯ制御部１１７を有する。
【００２５】
ＧＲ特定部１１４は、ＭＥＣサーバ２００ａを経由して互いに通信するＵＥ３００ａ，３００ｂ，３００ｃで形成されるＧＲを特定する。具体的には、ＧＲ特定部１１４は、ＭＥＣサーバ２００ａから通知されて有線Ｉ／Ｆ１１０によって受信されるＧＲの情報を用いてＧＲを特定する。ＭＥＣサーバ２００ａから通知されるＧＲの情報には、ＭＥＣサーバ２００ａが管理する同一のアプリを利用して互いに通信するＵＥ３００ａ，３００ｂ，３００ｃの各々を識別するための識別情報であるＵＥ−ＩＤ（Identifier）等が含まれる。ＧＲ特定部１１４は、特定されたＧＲに属する各ＵＥ３００のＵＥ−ＩＤをメモリ１４０における後述のＧＲ管理テーブルに登録するとともに、遅延時間取得部１１５、無線品質取得部１１６及びＨＯ制御部１１７へ通知する。
【００２６】
遅延時間取得部１１５は、ＧＲに属する各ＵＥ３００とＭＥＣサーバ２００ａとの間の通信の遅延時間を取得する。具体的には、遅延時間取得部１１５は、ＧＲに属する各ＵＥ３００のＵＥ−ＩＤの通知をＧＲ特定部１１４から受ける。そして、遅延時間取得部１１５は、ＵＥ−ＩＤで識別される各ＵＥ３００に遅延時間測定要求を送信し、遅延時間測定要求に応じて各ＵＥ３００において測定された遅延時間を取得する。そして、遅延時間取得部１１５は、取得された遅延時間を対応するＵＥ−ＩＤとともにＨＯ制御部１１７へ出力する。
【００２７】
無線品質取得部１１６は、ＧＲに属する各ＵＥ３００と基地局装置１００ａとの間のＨＯ元品質と、各ＵＥ３００と基地局装置１００ｂとの間のＨＯ先品質とを取得する。具体的には、無線品質取得部１１６は、ＧＲに属する各ＵＥ３００のＵＥ−ＩＤの通知をＧＲ特定部１１４から受ける。そして、無線品質取得部１１６は、ＵＥ−ＩＤで識別される各ＵＥ３００から通知されるＨＯ元品質及びＨＯ先品質を取得する。そして、無線品質取得部１１６は、取得されたＨＯ元品質及びＨＯ先品質を対応するＵＥ−ＩＤとともにＨＯ制御部１１７へ出力する。
【００２８】
ＨＯ制御部１１７は、遅延時間及びＵＥ−ＩＤの入力を遅延時間取得部１１５から受ける。そして、ＨＯ制御部１１７は、ＨＯ元品質、ＨＯ先品質及びＵＥ−ＩＤの入力を無線品質取得部１１６から受ける。そして、ＨＯ制御部１１７は、各ＵＥ−ＩＤに対応付けて、遅延時間、ＨＯ元品質及びＨＯ先品質をメモリ１４０におけるＧＲ管理テーブルに登録する。そして、ＨＯ制御部１１７は、ＨＯ処理部１１３からＨＯモード判定要求を受け付けた場合に、ＧＲ管理テーブルを参照して、ＧＲに属する全てのＵＥ３００に関して、遅延時間、ＨＯ元品質及びＨＯ先品質を取得する。そして、ＨＯ制御部１１７は、遅延時間、ＨＯ元品質及びＨＯ先品質を用いて、ＨＯ処理部１１３が実行すべきＨＯモードを判定する。ＨＯモードの判定は、以下のように行われる。
【００２９】
すなわち、ＨＯ制御部１１７は、ＧＲに属する全てのＵＥ３００に関して、遅延時間が所定時間未満であるか否かを判定する。ＨＯ制御部１１７は、ＧＲに属する全てのＵＥ３００に関して、遅延時間が所定時間未満である場合に、ＧＲに属する全てのＵＥ３００に関して、ＨＯ元品質とＨＯ先品質との差分値が第１の閾値α未満であるか否かを判定する。例えば、ＨＯ制御部１１７は、ＧＲに属する全てのＵＥ３００に関して、以下の式（１）が成立するか否かを判定する。
ＨＯ先品質−ＨＯ元品質＜α      ・・・  （１）
【００３０】
そして、ＨＯ制御部１１７は、ＧＲに属する全てのＵＥ３００に関して、ＨＯ元品質とＨＯ先品質との差分値が第１の閾値α未満である場合、全てのＵＥ３００による基地局装置１００ｂへのＨＯを一括で制御するモードの開始を決定する。全てのＵＥ３００による基地局装置１００ｂへのＨＯを一括で制御するモードとは、後述する一括ＨＯモード又は接続維持モードである。一括ＨＯモード又は接続維持モードの開始が決定されると、ＨＯ制御部１１７は、ＧＲに属する全てのＵＥ３００に関して、ＨＯ元品質とＨＯ先品質との差分値が第２の閾値β（＜α）を超過するか否かを判定する。例えば、ＨＯ制御部１１７は、ＧＲに属する全てのＵＥ３００に関して、以下の式（２）が成立するか否かを判定する。
ＨＯ先品質−ＨＯ元品質＞β      ・・・  （２）
【００３１】
そして、ＨＯ制御部１１７は、ＧＲに属する全てのＵＥ３００に関して、ＨＯ元品質とＨＯ先品質との差分値が第２の閾値βを超過する場合、全てのＵＥ３００の接続先を基地局装置１００ｂへ一括で切り替える一括ＨＯモードの実行を決定する。そして、ＨＯ制御部１１７は、ＨＯモードの判定結果として、一括ＨＯモードの実行をＨＯ処理部１１３に指示する。
【００３２】
また、ＨＯ制御部１１７は、全てのＵＥ３００のうちの少なくとも一つのＵＥ３００に関して、ＨＯ元品質とＨＯ先品質との差分値が第２の閾値βを超過しない場合、全てのＵＥ３００の接続先を基地局装置１００ａに維持する接続維持モードの実行を決定する。そして、ＨＯ制御部１１７は、ＨＯモードの判定結果として、接続維持モードの実行をＨＯ処理部１１３に指示する。
【００３３】
また、ＨＯ制御部１１７は、ＧＲに属する全てのＵＥ３００のうちの少なくとも１つのＵＥ３００に関して、遅延時間が所定時間以上である場合、当該少なくとも１つのＵＥ３００の接続先を基地局装置１００ｂへ個別に切り替える個別ＨＯモードの実行を決定する。さらに、ＨＯ制御部１１７は、ＧＲに属する全てのＵＥ３００のうちの少なくとも１つのＵＥ３００に関して、ＨＯ元品質とＨＯ先品質との差分値が第１の閾値α以上である場合にも、個別ＨＯモードの実行を決定する。そして、ＨＯ制御部１１７は、ＨＯモードの判定結果として、個別ＨＯモードの実行をＨＯ処理部１１３に指示する。
【００３４】
図３は、ＨＯモードの判定の具体例（その１）を説明する図である。図３において、横軸は、ＧＲに属する各ＵＥ３００（つまり、ＵＥ３００ａ，３００ｂ，３００ｃ）の位置を示し、縦軸は、ＧＲに属する各ＵＥ３００の無線品質（つまり、ＨＯ元品質及びＨＯ先品質）を示す。なお、図３の例では、ＧＲに属する全てのＵＥ３００に関して、遅延時間が所定時間未満である場合を想定する。
【００３５】
この場合、ＨＯ制御部１１７は、ＧＲに属する全てのＵＥ３００に関して、ＨＯ元品質とＨＯ先品質との差分値が第１の閾値α未満であるか否かを判定する。図３の例では、ＧＲに属する全てのＵＥ３００に関して、ＨＯ元品質とＨＯ先品質との差分値（つまり、ＨＯ先品質−ＨＯ元品質）が第１の閾値α未満である。このため、ＨＯ制御部１１７は、全てのＵＥ３００による基地局装置１００ｂへのＨＯを一括で制御するモード（つまり、一括ＨＯモード又は接続維持モード）の開始を決定する。
【００３６】
続いて、ＨＯ制御部１１７は、ＧＲに属する全てのＵＥ３００に関して、ＨＯ元品質とＨＯ先品質との差分値が第２の閾値β（＜α）を超過するか否かを判定する。図３の例では、ＧＲに属する全てのＵＥ３００に関して、ＨＯ元品質とＨＯ先品質との差分値（つまり、ＨＯ先品質−ＨＯ元品質）が第２の閾値βを超過している。このため、ＨＯ制御部１１７は、全てのＵＥ３００の接続先を基地局装置１００ｂへ一括で切り替える一括ＨＯモードの実行を決定する。
【００３７】
図４は、ＨＯモードの判定の具体例（その２）を説明する図である。図４において、横軸は、ＧＲに属する各ＵＥ３００（つまり、ＵＥ３００ａ，３００ｂ，３００ｃ）の位置を示し、縦軸は、ＧＲに属する各ＵＥ３００の無線品質（つまり、ＨＯ元品質及びＨＯ先品質）を示す。なお、図４の例では、ＧＲに属する全てのＵＥ３００に関して、遅延時間が所定時間未満である場合を想定する。
【００３８】
この場合、ＨＯ制御部１１７は、ＧＲに属する全てのＵＥ３００に関して、ＨＯ元品質とＨＯ先品質との差分値が第１の閾値α未満であるか否かを判定する。図４の例では、ＧＲに属する全てのＵＥ３００に関して、ＨＯ元品質とＨＯ先品質との差分値（つまり、ＨＯ先品質−ＨＯ元品質）が第１の閾値α未満である。このため、ＨＯ制御部１１７は、全てのＵＥ３００による基地局装置１００ｂへのＨＯを一括で制御するモード（つまり、一括ＨＯモード又は接続維持モード）の開始を決定する。
【００３９】
続いて、ＨＯ制御部１１７は、ＧＲに属する全てのＵＥ３００に関して、ＨＯ元品質とＨＯ先品質との差分値が第２の閾値β（＜α）を超過するか否かを判定する。図４の例では、ＵＥ３００ｃに関して、ＨＯ元品質とＨＯ先品質との差分値（つまり、ＨＯ先品質−ＨＯ元品質）が第２の閾値βを超過している。しかしながら、ＵＥ３００ａ，３００ｂに関して、ＨＯ元品質とＨＯ先品質との差分値（つまり、ＨＯ先品質−ＨＯ元品質）が第２の閾値βを超過していない。このため、ＨＯ制御部１１７は、全てのＵＥ３００の接続先を基地局装置１００ａに維持する接続維持モードの実行を決定する。
【００４０】
図５は、ＨＯモードの判定の具体例（その３）を説明する図である。図５において、横軸は、ＧＲに属する各ＵＥ３００（つまり、ＵＥ３００ａ，３００ｂ，３００ｃの各々）の位置を示し、縦軸は、ＧＲに属する各ＵＥ３００の無線品質（つまり、ＨＯ元品質及びＨＯ先品質）を示す。なお、図５の例では、ＧＲに属する全てのＵＥ３００に関して、遅延時間が所定時間未満である場合を想定する。
【００４１】
この場合、ＨＯ制御部１１７は、ＧＲに属する全てのＵＥ３００に関して、ＨＯ元品質とＨＯ先品質との差分値が第１の閾値α未満であるか否かを判定する。図５の例では、ＵＥ３００ａ，３００ｂに関して、ＨＯ元品質とＨＯ先品質との差分値（つまり、ＨＯ先品質−ＨＯ元品質）が第１の閾値α未満である。しかしながら、ＵＥ３００ｃに関して、ＨＯ元品質とＨＯ先品質との差分値（つまり、ＨＯ先品質−ＨＯ元品質）が第１の閾値α以上である。このため、ＨＯ制御部１１７は、ＵＥ３００ｃの接続先を基地局装置１００ｂへ個別に切り替える個別ＨＯモードの実行を決定する。
【００４２】
図２の説明に戻る。ＢＢ信号処理部１１２は、ＵＥ３００から受信した上りのベースバンド信号に関する処理を実行する。例えば、ＢＢ信号処理部１１２は、上りのベースバンド信号を復調して、各ＵＥ３００において測定された遅延時間を抽出し、抽出した遅延時間を遅延時間取得部１１５へ出力する。また、例えば、ＢＢ信号処理部１１２は、上りのベースバンド信号を復調して、各ＵＥ３００から通知されるＨＯ元品質及びＨＯ先品質を抽出し、抽出したＨＯ元品質及びＨＯ先品質を無線品質取得部１１６及びＨＯ処理部１１３へ出力する。
【００４３】
また、ＢＢ信号処理部１１２は、ＵＥ３００へ送信される下りのベースバンド信号に関する処理を実行する。例えば、ＢＢ信号処理部１１２は、遅延時間取得部１１５から各ＵＥ３００に送信される遅延時間測定要求を含む下りのベースバンド信号を生成し、生成した下りのベースバンド信号を無線送受信部１３０へ出力する。また、例えば、ＢＢ信号処理部１１２は、ＨＯ処理部１１３から出力されるＨＯ指示を含む下りのベースバンド信号を生成し、生成した下りのベースバンド信号を無線送受信部１３０へ出力する。
【００４４】
ＨＯ処理部１１３は、ＧＲに属する各ＵＥ３００に関するＨＯ元品質及びＨＯ先品質の入力をＢＢ信号処理部１１２から受ける。そして、ＨＯ処理部１１３は、各ＵＥ３００に関して、ＨＯ元品質とＨＯ先品質とを比較する。そして、ＨＯ処理部１１３は、ＨＯ先品質がＨＯ元品質よりも大きいＵＥ３００（以下「ＨＯ対象ＵＥ３００」と表記する）が存在する場合に、ＨＯ処理部１１３が実行すべきＨＯモードを判定することを要求するＨＯモード判定要求をＨＯ制御部１１７へ出力する。そして、ＨＯ処理部１１３は、ＨＯ制御部１１７から、ＨＯモードの判定結果として、一括ＨＯモードの実行を指示された場合、ＧＲに属する全てのＵＥ３００の接続先を基地局装置１００ｂに一括で切り替える旨を指示するＨＯ指示を全てのＵＥ３００へ送信する。
【００４５】
また、ＨＯ処理部１１３は、ＨＯ制御部１１７から、ＨＯモードの判定結果として、接続維持モードの実行を指示された場合、ＨＯ指示の送信を中止する。すなわち、ＨＯ処理部１１３は、全てのＵＥ３００の接続先を基地局装置１００ａに維持するために、ＧＲに属する全てのＵＥ３００に対し、ＨＯ指示の送信を行わない。
【００４６】
また、ＨＯ処理部１１３は、ＨＯ制御部１１７から、ＨＯモードの判定結果として、個別ＨＯモードの実行を指示された場合、ＨＯ対象ＵＥ３００の接続先を基地局装置１００ｂへ個別に切り替える旨を指示するＨＯ指示をＨＯ対象ＵＥ３００へ送信する。
【００４７】
無線送受信部１３０は、各ＵＥ３００から送信された信号をアンテナを介して受信し、所定の無線受信処理を施すことにより、上りのベースバンド信号を生成する。そして、無線送受信部１３０は、上りのベースバンド信号をＢＢ信号処理部１１２へ出力する。また、無線送受信部１３０は、ＢＢ信号処理部１１２によって生成された下りのベースバンド信号に対して所定の無線送信処理を施し、アンテナを介して各ＵＥ３００へ送信する。
【００４８】
メモリ１４０は、例えばＲＡＭ（Random  Access  Memory）又はＲＯＭ（Read  Only  Memory）などを備え、プロセッサ１２０によって処理が実行される際に、種々の情報を記憶する。例えば、メモリ１４０は、ＧＲに属する各ＵＥ３００のＵＥ−ＩＤに対応付けて、遅延時間、ＨＯ元品質及びＨＯ先品質を記憶するＧＲ管理テーブルを保持する。ＧＲ管理テーブルは、ＨＯ制御部１１７によるＨＯモードの判定に用いられる。
【００４９】
次に、ＭＥＣサーバ２００ａの構成について説明する。図６は、本実施例に係るＭＥＣサーバ２００ａの構成を示すブロック図である。なお、ＭＥＣサーバ２００ｂの構成は、ＭＥＣサーバ２００ａの構成と同様なので、ここではその説明を省略する。図６に示すＭＥＣサーバ２００ａは、ネットワークインタフェース（以下「ネットワークＩ／Ｆ」と略記する）２１０、プロセッサ２２０及びメモリ２３０を有する。
【００５０】
ネットワークＩ／Ｆ２１０は、基地局装置１００ａ及びコアネットワークＮに接続するインタフェースであり、基地局装置１００ａ又は上位サーバ１０との間で種々のデータを送受信する。また、ネットワークＩ／Ｆ２１０は、同一のアプリを利用して互いに通信するＵＥ３００ａ，３００ｂ，３００ｃを含むＧＲの情報を基地局装置１００ａへ送信する。
【００５１】
プロセッサ２２０は、例えばＣＰＵ、ＦＰＧＡ又はＤＳＰなどを備え、ＭＥＣサーバ２００ａ全体を制御する。具体的には、プロセッサ２２０は、アプリ管理部２２１及びＧＲ情報生成部２２２を有する。
【００５２】
アプリ管理部２２１は、所定のアプリを管理し、基地局装置１００ａに接続中のＵＥ３００ａ，３００ｂ，３００ｃが所定のアプリを利用した通信を行う際に、ネットワークＩ／Ｆ２１０を介して基地局装置１００ａとの間でデータを送受信する。これにより、基地局装置１００ａに接続中のＵＥ３００ａ，３００ｂ，３００ｃに所定のアプリによるサービスが提供される。
【００５３】
ＧＲ情報生成部２２２は、アプリ管理部２２１によって管理される所定のアプリを利用して互いに通信するＵＥ３００ａ，３００ｂ，３００ｃをグループ化してこれらＵＥ３００ａ，３００ｂ，３００ｃを含むＧＲを生成する。そして、ＧＲ情報生成部２２２は、生成したＧＲの情報を、ネットワークＩ／Ｆ２１０を介して基地局装置１００ａへ通知する。
【００５４】
メモリ２３０は、例えばＲＡＭ又はＲＯＭなどを備え、プロセッサ２２０によって処理が実行される際に、種々の情報を記憶する。
【００５５】
次に、ＵＥ３００ａの構成について説明する。図７は、本実施例に係るＵＥ３００ａの構成を示すブロック図である。なお、ＵＥ３００ｂ，３００ｃの各々の構成は、ＵＥ３００ａの構成と同様なので、ここではその説明を省略する。図７に示すＵＥ３００ａは、無線送受信部３１０、プロセッサ３２０及びメモリ３３０を有する。
【００５６】
無線送受信部３１０は、基地局装置１００ａから送信された信号をアンテナを介して受信し、所定の無線受信処理を施すことにより、下りのベースバンド信号を生成する。そして、無線送受信部３１０は、下りのベースバンドをＢＢ信号処理部３２１へ出力する。また、無線送受信部３１０は、ＢＢ信号処理部３２１によって生成された上りのベースバンド信号に対して所定の無線送信処理を施し、アンテナを介して基地局装置１００ａへ送信する。
【００５７】
プロセッサ３２０は、例えばＣＰＵ、ＦＰＧＡ又はＤＳＰなどを備え、ＵＥ３００ａ全体を制御する。具体的には、プロセッサ３２０は、ＢＢ信号処理部３２１、ＨＯ処理部３２３及び遅延時間測定部３２２を有する。
【００５８】
ＢＢ信号処理部３２１は、基地局装置１００ａから受信した下りのベースバンド信号に関する処理を実行する。例えば、ＢＢ信号処理部３２１は、下りのベースバンド信号を復調して、基地局装置１００ａから送信される遅延時間測定要求を抽出し、抽出した遅延時間測定要求を遅延時間測定部３２２へ出力する。また、例えば、ＢＢ信号処理部３２１は、下りのベースバンド信号を復調して、基地局装置１００ａから送信されるＨＯ指示を抽出し、抽出したＨＯ指示をＨＯ処理部３２３へ出力する。
【００５９】
また、ＢＢ信号処理部３２１は、基地局装置１００ａへ送信される上りのベースバンド信号に関する処理を実行する。例えば、ＢＢ信号処理部３２１は、遅延時間測定部３２２から基地局装置１００ａへ送信される遅延時間を含む上りのベースバンド信号を生成し、生成した上りのベースバンド信号を無線送受信部３１０へ出力する。また、例えば、ＢＢ信号処理部３２１は、ＨＯ処理部３２３から基地局装置１００ａへ通知されるＨＯ元品質及びＨＯ先品質を含む上りのベースバンド信号を生成し、生成した上りのベースバンド信号を無線送受信部３１０へ出力する。
【００６０】
遅延時間測定部３２２は、基地局装置１００ａから遅延時間測定要求が受信された場合に、ＵＥ３００ａとＭＥＣサーバ２００ａとの間の通信の遅延時間を測定する。具体的には、遅延時間測定部３２２は、遅延時間測定用のパケットを、基地局装置１００ａを介してＭＥＣサーバ２００ａへ送信するとともに、当該パケットの送信時刻をメモリ３３０に保持する。遅延時間測定用のパケットは、ＭＥＣサーバ２００ａに到達すると、ＭＥＣサーバ２００ａからＵＥ３００ａへ折り返される。そして、遅延時間測定部３２２は、ＭＥＣサーバ２００ａからＵＥ３００ａへ折り返されるパケットを受信するとともに、当該パケットの受信時刻をメモリ３３０に保持する。そして、遅延時間測定部３２２は、メモリ３３０に保持された送信時刻と受信時刻とを基に、遅延時間を算出（測定）する。すなわち、遅延時間測定部３２２は、送信時刻と受信時刻との時刻差を遅延時間として算出する。そして、遅延時間測定部３２２は、算出した遅延時間を基地局装置１００ａへ送信する。
【００６１】
ＨＯ処理部３２３は、基地局装置１００ａによる制御に従って、ＨＯを実行する。具体的には、ＨＯ処理部３２３は、ＵＥ３００ａと基地局装置１００ａとの間のＨＯ元品質と、ＵＥ３００ａと基地局装置１００ｂとの間のＨＯ先品質とを測定し、測定したＨＯ元品質及びＨＯ先品質を基地局装置１００ａへ送信する。ＨＯ元品質及びＨＯ先品質の送信は、例えば所定の周期で行われる。そして、ＨＯ処理部３２３は、ＨＯ元品質及びＨＯ先品質を受信した基地局装置１００ａからＨＯ指示が受信された場合に、基地局装置１００ｂへのＨＯを実行する。
【００６２】
次に、基地局装置１００ａ、ＭＥＣサーバ２００ａ及びＵＥ３００ａ，３００ｂ，３００ｃを有する無線通信システムの動作の一例について、図８を参照しながら説明する。図８は、本実施例に係る無線通信システムの動作の一例を示すシーケンス図である。
【００６３】
まず、図８に示すように、ＭＥＣサーバ２００ａは、ＧＲ情報生成処理を行う（ステップＳ１０１）。ここで、ステップＳ１０１で行われるＧＲ情報生成処理の一例について、図９を参照しながら説明する。図９は、ＧＲ情報生成処理の一例を示すフローチャートである。
【００６４】
図９に示すように、ＭＥＣサーバ２００ａは、アプリ管理部２２１によって管理される所定のアプリのうち、互いに通信するＵＥ３００ａ，３００ｂ，３００ｃによって利用されているアプリを特定する（ステップＳ１２１）。そして、ＭＥＣサーバ２００ａは、特定されたアプリを利用して互いに通信するＵＥ３００ａ，３００ｂ，３００ｃをグループ化してこれらＵＥ３００ａ，３００ｂ，３００ｃを含むＧＲを生成する（ステップＳ１２２）。
【００６５】
図８の説明に戻る。ＭＥＣサーバ２００ａは、生成したＧＲの情報を基地局装置１００ａへ通知する（ステップＳ１０２）。
【００６６】
基地局装置１００ａのＧＲ管理部１１１は、ＭＥＣサーバ２００ａから通知されるＧＲの情報を用いてＧＲを特定する（ステップＳ１０３）。そして、ＧＲ管理部１１１は、図１０に示すように、特定されたＧＲに属する各ＵＥ３００のＵＥ−ＩＤをメモリ１４０におけるＧＲ管理テーブルに登録する。なお、図１０は、ＧＲ管理テーブルの登録状態の一例を示す図である。
【００６７】
続いて、ＧＲ管理部１１１は、ＵＥ−ＩＤで識別される各ＵＥ３００に遅延時間測定要求を送信する（ステップＳ１０４）。遅延時間測定要求を受信したＵＥ３００ａは、遅延時間測定処理を行う（ステップＳ１０５）。また、遅延時間測定要求を受信したＵＥ３００ｂ，３００ｃもＵＥ３００ａと同様に遅延時間測定処理（図示略）を行う。ここで、ステップＳ１０５で行われる遅延時間測定処理の一例について、図１１を参照しながら説明する。図１１は、遅延時間測定処理の一例を示すフローチャートである。
【００６８】
図１１に示すように、ＵＥ３００ａは、基地局装置１００ａから遅延時間測定要求が受信された場合（ステップＳ１３１Ｙｅｓ）、遅延時間測定用のパケットを、基地局装置１００ａを介してＭＥＣサーバ２００ａへ送信する（ステップＳ１３２）。このとき、ＵＥ３００ａは、当該パケットの送信時刻をメモリ３３０に保持する（ステップＳ１３３）。遅延時間測定用のパケットは、ＭＥＣサーバ２００ａに到達すると、ＭＥＣサーバ２００ａからＵＥ３００ａへ折り返される。
【００６９】
続いて、ＵＥ３００ａは、ＭＥＣサーバ２００ａからＵＥ３００ａへ折り返されるパケットを受信する（ステップＳ１３４）。このとき、ＵＥ３００ａは、当該パケットの受信時刻をメモリ３３０に保持する（ステップＳ１３５）。
【００７０】
続いて、ＵＥ３００ａは、メモリ３３０に保持された送信時刻と受信時刻とを基に、遅延時間を算出（測定）する（ステップＳ１３６）。すなわち、遅延時間測定部３２２は、送信時刻と受信時刻との時刻差を遅延時間として算出する。
【００７１】
図８の説明に戻る。ＵＥ３００ａ，３００ｂ，３００ｃは、算出した遅延時間を基地局装置１００ａへ送信する（ステップＳ１０６）。
【００７２】
基地局装置１００ａのＧＲ管理部１１１は、ＵＥ３００ａ，３００ｂ，３００ｃから送信される遅延時間を取得する。ＧＲ管理部１１１は、図１２に示すように、各ＵＥ−ＩＤに対応付けて、遅延時間をメモリ１４０におけるＧＲ管理テーブルに登録する（ステップＳ１０７）。なお、図１２は、ＧＲ管理テーブルの登録状態の他の一例を示す図である。
【００７３】
続いて、ＧＲ管理部１１１及びＨＯ処理部１１３は、ＵＥ−ＩＤで識別される各ＵＥ３００から通知されるＨＯ元品質及びＨＯ先品質を取得する（ステップＳ１０８，１０９）。ＧＲ管理部１１１は、図１３に示すように、各ＵＥ−ＩＤに対応付けて、ＨＯ元品質及びＨＯ先品質をメモリ１４０におけるＧＲ管理テーブルに登録する（ステップＳ１１０）。なお、図１３は、ＧＲ管理テーブルの登録状態のさらに他の一例を示す図である。
【００７４】
続いて、ＨＯ処理部１１３は、各ＵＥ３００に関して、ＨＯ元品質とＨＯ先品質とを比較する（ステップＳ１１１）。この比較の結果、ＨＯ処理部１１３は、ＨＯ先品質がＨＯ元品質よりも大きいＵＥ３００、つまり、ＨＯ対象ＵＥ３００が存在する場合に、実行すべきＨＯモードを判定することを要求するＨＯモード判定要求をＧＲ管理部１１１へ出力する（ステップＳ１１２）。以下の説明では、ＨＯ対象ＵＥ３００がＵＥ３００ｃであるものとする。
【００７５】
ＧＲ管理部１１１は、ＨＯ処理部１１３からＨＯモード判定要求を受け付けた場合に、ＨＯモード判定処理を行う（ステップＳ１１３）。ここで、ステップＳ１１３で行われるＨＯモード判定処理の一例について、図１４を参照しながら説明する。図１４は、ＨＯモード判定処理の一例を示すフローチャートである。
【００７６】
図１４に示すように、ＧＲ管理部１１１は、ＨＯ処理部１１３からＨＯモード判定要求を受け付けた場合（ステップＳ１４１Ｙｅｓ）、以下の処理を行う。すなわち、ＧＲ管理部１１１は、ＧＲ管理テーブルを参照し（ステップＳ１４２）、ＧＲに属する全てのＵＥ３００に関して、遅延時間、ＨＯ元品質及びＨＯ先品質を取得する（ステップＳ１４３）。
【００７７】
続いて、ＧＲ管理部１１１は、ＧＲに属する全てのＵＥ３００に関して、遅延時間が所定時間未満であるか否かを判定する（ステップＳ１４４）。ＧＲ管理部１１１は、ＧＲに属する全てのＵＥ３００に関して、遅延時間が所定時間未満である場合（ステップＳ１４４Ｙｅｓ）、以下の処理を行う。すなわち、ＧＲ管理部１１１は、ＧＲに属する全てのＵＥ３００に関して、ＨＯ元品質とＨＯ先品質との差分値が第１の閾値α未満であるか否かを判定する（ステップＳ１４５）。
【００７８】
ＧＲ管理部１１１は、ＧＲに属する全てのＵＥ３００に関して、ＨＯ元品質とＨＯ先品質との差分値が第１の閾値α未満である場合（ステップＳ１４５Ｙｅｓ）、全てのＵＥ３００による基地局装置１００ｂへのＨＯを一括で制御するモードの開始を決定する。全てのＵＥ３００による基地局装置１００ｂへのＨＯを一括で制御するモードとは、一括ＨＯモード又は接続維持モードである。
【００７９】
一括ＨＯモード又は接続維持モードの開始が決定されると、ＧＲ管理部１１１は、ＧＲに属する全てのＵＥ３００に関して、ＨＯ元品質とＨＯ先品質との差分値が第２の閾値β（＜α）を超過するか否かを判定する（ステップＳ１４６）。ＧＲ管理部１１１は、ＧＲに属する全てのＵＥ３００に関して、ＨＯ元品質とＨＯ先品質との差分値が第２の閾値βを超過する場合（ステップＳ１４６Ｙｅｓ）、一括ＨＯモードの実行を決定する（ステップＳ１４７）。
【００８０】
また、ＧＲ管理部１１１は、全てのＵＥ３００のうちの少なくとも一つのＵＥ３００に関して、ＨＯ元品質とＨＯ先品質との差分値が第２の閾値βを超過しない場合（ステップＳ１４６Ｎｏ）、接続維持モードの実行を決定する（ステップＳ１４８）。
【００８１】
また、ＧＲ管理部１１１は、ＧＲに属する全てのＵＥ３００のうちの少なくとも１つのＵＥ３００に関して、遅延時間が所定時間以上である場合（ステップＳ１４４Ｎｏ）、個別ＨＯモードの実行を決定する（ステップＳ１４９）。さらに、ＧＲ管理部１１１は、ＧＲに属する全てのＵＥ３００のうちの少なくとも１つのＵＥ３００に関して、ＨＯ元品質とＨＯ先品質との差分値が第１の閾値α以上である場合（ステップＳ１４５Ｎｏ）、個別ＨＯモードの実行を決定する（ステップＳ１４９）。
【００８２】
図８の説明に戻る。ＧＲ管理部１１１は、ステップＳ１１３におけるＨＯモードの判定結果として、一括ＨＯモード、接続維持モード又は個別ＨＯモードの実行をＨＯ処理部１１３に指示する（ステップＳ１１４）。
【００８３】
ＨＯ処理部１１３は、一括ＨＯモードの実行を指示された場合、ＧＲに属する全てのＵＥ３００の接続先を基地局装置１００ｂに一括で切り替える旨を指示するＨＯ指示を全てのＵＥ３００へ送信する（ステップＳ１１５）。
【００８４】
また、ＨＯ処理部１１３は、接続維持モードの実行を指示された場合、ＨＯ指示の送信を中止する（ステップＳ１１６）。すなわち、ＨＯ処理部１１３は、全てのＵＥ３００の接続先を基地局装置１００ａに維持するために、ＨＯ対象ＵＥ３００（つまり、ＵＥ３００ｃ）が存在する場合であっても、ＧＲに属する全てのＵＥ３００に対し、ＨＯ指示の送信を行わない。
【００８５】
また、ＨＯ処理部１１３は、個別ＨＯモードの実行を指示された場合、ＨＯ対象ＵＥ３００の接続先を基地局装置１００ｂへ個別に切り替える旨を指示するＨＯ指示をＨＯ対象ＵＥ３００（つまり、ＵＥ３００ｃ）へ送信する（ステップＳ１１７）。
【００８６】
以上のように、本実施例によれば、ＭＥＣサーバを経由して互いに通信する複数のＵＥに関して、ＭＥＣサーバとの間の通信の遅延時間が所定時間未満で、且つＨＯ元品質とＨＯ先品質との差分値が閾値未満である場合、全てのＵＥによるＨＯを一括で制御する。これにより、共通のＭＥＣサーバを経由して互いに通信する複数のＵＥによるＨＯを一括で制御するので、各ＵＥによる個別のＨＯをできるだけ抑制することができる。このため、ＵＥ間の通信が、ＭＥＣサーバを経由する通信からコアネットワーク側の上位サーバを経由する通信に切り替わる事態ができるだけ回避される。結果として、ＭＥＣサーバを経由する低遅延な通信を維持することができる。
【００８７】
なお、上記実施例では、基地局装置１００ａが、ＭＥＣサーバ２００ａにより管理される所定のアプリを利用して互いに通信する複数のＵＥで形成されるＧＲを特定する例を説明したが、開示の技術はこれに限られない。例えば、ＭＥＣサーバ２００ａにより複数のアプリが管理される場合、基地局装置１００ａは、アプリ毎に、当該アプリを利用する複数のＵＥで形成されるＧＲを特定しても良い。この場合、アプリの数に応じて複数のＧＲが特定される。このため、基地局装置１００ａは、ＧＲ毎に、遅延時間の条件、並びにＨＯ元品質とＨＯ先品質との差分値の条件を判定し、その判定の結果に応じて、当該ＧＲに属する全てのＵＥによるＨＯを一括で制御しても良い。
【符号の説明】
【００８８】
１００ａ，１００ｂ  基地局装置
１１１  ＧＲ管理部
１１２  ＢＢ信号処理部
１１３  ＨＯ処理部
１１４  ＧＲ特定部
１１５  遅延時間取得部
１１６  無線品質取得部
１１７  ＨＯ制御部
２００ａ，２００ｂ  ＭＥＣサーバ
２２１  アプリ管理部
２２２  ＧＲ情報生成部
【図１】
2019102871.tif 000003
【図２】
2019102871.tif 000004
【図３】
2019102871.tif 000005
【図４】
2019102871.tif 000006
【図５】
2019102871.tif 000007
【図６】
2019102871.tif 000008
【図７】
2019102871.tif 000009
【図８】
2019102871.tif 000010
【図９】
2019102871.tif 000011
【図１０】
2019102871.tif 000012
【図１１】
2019102871.tif 000013
【図１２】
2019102871.tif 000014
【図１３】
2019102871.tif 000015
【図１４】
2019102871.tif 000016